(57)【要約】【課題】印象トレー洗浄剤に使用には、リンが含まれている場合がある。リンは、富栄養化を引き起こし水質汚濁の要因になるため、自然環境への有害な影響が懸念されている。そのため、本発明にかかわる印象トレー洗浄剤は、自然環境への有害な影響を及ぼす恐れが少なく、且つ、洗浄効果の高い印象トレー洗浄剤を提供する。【解決手段】  アルギン酸塩印象材を除去するための印象トレー洗浄剤であって、クエン酸ナトリウム塩と、アルコールと、水と、を含有することを特徴とする印象トレー洗浄剤。 【選択図】なし【特許請求の範囲】
【請求項１】
アルギン酸塩印象材を除去するための印象トレー洗浄剤であって、
クエン酸ナトリウム塩と、
アルコールと、
水と、を含有することを特徴とする印象トレー洗浄剤。
【請求項２】
前記クエン酸ナトリウム塩は、クエン酸三ナトリウムであることを特徴とする請求項１に記載の印象トレー洗浄剤。
【請求項３】
前記クエン酸三ナトリウムの含有量は、１２．５重量％〜２５重量％であることを特徴とする請求項２に記載の印象トレー洗浄剤。
【請求項４】
前記アルコールの含有量は、５重量％〜１５重量％であることを特徴とする請求項１乃至請求項３のいずれかに記載の印象トレー洗浄剤。
【請求項５】
前記アルコールは、多価アルコールであることを特徴とする請求項１乃至請求項４のいずれかに記載の印象トレー洗浄剤。
【請求項６】
前記多価アルコールは、プロピレングリコール、グリセリン、Ｄ−ソルビトールのいずれか１種から選ばれることを特徴とする請求項５に記載の印象トレー洗浄剤。
【請求項７】
１０重量％以下のクエン酸カリウム塩をさらに含有することを特徴とする請求項１乃至請求項６のいずれかに記載の印象トレー洗浄剤。
【請求項８】
前記クエン酸カリウム塩は、クエン酸三カリウムであることを特徴とする請求項７に記載の印象トレー洗浄剤。
【請求項９】
ｐＨ調整剤として、クエン酸を含有していることを特徴とする請求項１乃至請求項８のいずれかに記載の印象トレー洗浄剤。
【請求項１０】
防錆剤として、ベンゾトリアゾールを含有していることを特徴とする請求項１乃至請求項９のいずれかに記載の印象トレー洗浄剤。
【発明の詳細な説明】
【技術分野】
【０００１】
本発明は、歯科分野における印象採得後の印象トレーに固着するアルギン酸塩印象材を除去するために使用される洗浄剤の組成物に関する。
【背景技術】
【０００２】
印象材は、歯科用補綴物の作製において口腔内の印象を採取するために使用されており、特にアルギン酸塩を含有したアルギン酸塩印象材が広く用いられている。アルギン酸塩印象材は、アルギン酸塩及び硫酸カルシウムを主体とするものであり、水と混合することによりアルギン酸カルシウムを生成させ、硬化することを利用したものである。
【０００３】
アルギン酸塩印象材は、規定量の水と練和させ、印象トレーと呼ばれる金属又は樹脂製の器具に盛り付け、口腔内の印象採得部位に圧接して硬化させた後、口腔内から取り出し、石膏等を注入して歯形の模型を作製するために使用される。模型作製後の印象トレーを再使用するためには、硬化したアルギン酸塩印象材を印象トレーから除去する必要があるが、当該印象材は、硬い固形物であるため、容易に除去することが出来ない。そのため、印象トレー洗浄剤と呼ばれる専用の薬剤を用いる必要がある。
【０００４】
印象トレー洗浄剤としては、金属イオンと、水中にてキレート化合物を形成するキレート剤と、ホスホン酸化合物とを所定量含有させた印象トレー洗浄剤が知られている（特許文献１  参照）。当該印象トレー洗浄剤は、アルギン酸塩印象材を除去する効果が高く、繰り返しの使用においても洗浄効果が持続し、金属製の印象トレーの腐食も起こし難くすることができる。
【先行技術文献】
【特許文献】
【０００５】
【特許文献１】特開２００７−９９８０５号公報
【発明の概要】
【発明が解決しようとする課題】
【０００６】
しかしながら、特許文献１に記載の印象トレー洗浄剤に使用されているホスホン酸化合物には、リンが含まれている。リンは、富栄養化を引き起こし水質汚濁の要因になるため、自然環境への有害な影響が懸念されている。
【０００７】
本発明は、かかる従来発明における課題に鑑みてされたものであり、自然環境への有害な影響を及ぼす恐れが少なく、且つ、洗浄効果の高い印象トレー洗浄剤を提供するものである。
【課題を解決するための手段】
【０００８】
上記目的を達成するために、本発明は、少なくとも以下のような構成を備え、もしくは手順を実行する。
【０００９】
本発明に係る印象トレー洗浄剤は、アルギン酸塩印象材を除去するための印象トレー洗浄剤であって、クエン酸ナトリウム塩と、アルコールと、水と、を含有することを特徴とする。
かかる構成により、本発明に係る印象トレー洗浄剤は、自然環境への有害な影響が少なく、且つ、より確実にアルギン酸塩印象材を除去することができる。
【００１０】
また、好ましくは、前記クエン酸ナトリウム塩は、クエン酸三ナトリウムであることを特徴とする。
かかる構成により、より安全性を向上させることができる。食品添加物又は局方品（日本薬局方収載医薬品）として認可されているクエン酸三ナトリウムを使用することが安全性の点で好ましいためである。
【００１１】
また、好ましくは、前記クエン酸三ナトリウムの含有量は、１２．５重量％〜２５重量％であることを特徴とする。
かかる構成により、より確実にアルギン酸塩印象材を除去することができる。これは、クエン酸三ナトリウムの含有量が当該範囲であれば、除去力に優れた印象トレー洗浄剤となるためである。
【００１２】
また、好ましくは、前記アルコールの含有量は、５重量％〜１５重量％であることを特徴とする。
かかる構成により、より確実にアルギン酸塩印象材を除去することができる。これは、アルコールの含有量が当該範囲であれば、除去力に優れた印象トレー洗浄剤となるためである。
【００１３】
また、好ましくは、前記アルコールは、多価アルコールであることを特徴とする。
かかる構成により、より安全性を高く、且つ、より臭気を抑えることができる。多価アルコールは、アルコールの中で安全性が高く、臭気が少ないためである。
【００１４】
また、好ましくは、前記多価アルコールは、プロピレングリコール、グリセリン、Ｄ−ソルビトールのいずれか１種から選ばれることを特徴とする。
かかる構成により、より安全性を高くすることができる。食品添加物又は局方品（日本薬局方収載医薬品）として認可されているプロピレングリコール、グリセリン、Ｄ−ソルビトールを使用することが安全性の点で好ましく、人体への影響が極めて少なくなるためである。
【００１５】
また、好ましくは、１０重量％以下のクエン酸カリウム塩をさらに含有することを特徴とする。
かかる構成により、より確実にアルギン酸塩印象材を除去することができる。これは、少量（１０重量％以下）のクエン酸カリウム塩を添加すると除去力が向上するためである。
【００１６】
また、好ましくは、前記クエン酸カリウム塩は、クエン酸三カリウムであることを特徴とする。
かかる構成により、より安全性を向上させることができる。食品添加物として認可されているクエン酸三カリウムを使用することが安全性の点で好ましいためである。
【００１７】
また、好ましくは、ｐＨ調整剤として、クエン酸を含有していることを特徴とする。
かかる構成により、印象トレー洗浄剤を中性に近づけることができる。これにより、人体への影響が少なくなるとともに、金属製の印象トレーを使用した際、印象トレーの腐食も低減することができる。
【００１８】
また、好ましくは、防錆剤として、ベンゾトリアゾールを含有していることを特徴とする。
かかる構成により、金属製の印象トレーの腐食をさらに低減することができる。
【発明の効果】
【００１９】
以上のように、本発明によれば、自然環境への有害な影響を及ぼす恐れが少なく、且つ、アルギン酸塩印象材に対して、高い除去力を有している印象トレー洗浄剤を提供することができるという効果を有する。
【発明を実施するための形態】
【００２０】
本発明の一実施形態に係る印象トレー洗浄剤は、クエン酸三ナトリウムと、アルコールと、水とを含んでいる。なお、クエン酸三ナトリウム、アルコール、水以外に添加剤等を混合しても構わない。例えば、第四級アンモニウム塩などの殺菌剤やベンゾトリアゾールなどの防錆剤、ｐＨ調節剤としてのクエン酸など、公知の添加剤を特に制限なく使用しても構わない。
【００２１】
クエン酸三ナトリウムは、食品添加物、局方品（日本薬局方収載医薬品）として認可されている化合物であり、人体への使用の安全性はもちろん、自然環境への影響が小さい化合物である。
【００２２】
特に、印象トレーは、人の口腔内に接するものであるため、印象トレー洗浄剤は、人体に安全なものを使用することが好ましい。
【００２３】
クエン酸三ナトリウムの添加量としては、重量比で１０重量％〜３０重量％が好ましく、特に１２．５重量％〜２５重量％の範囲が好ましい。１２．５重量％以下になると、印象材の除去性等が低くなり、２５重量％以上となると、印象トレー洗浄剤の安定性が低下し、印象トレー洗浄剤中に浮遊物若しくは沈殿物が発生するという問題が生じる。なお、浮遊物若しくは沈殿物が発生するという問題は、過酷条件下（−５℃、又は、４５℃）で２週間保管した場合に確認できたものである。換言すれば、クエン酸三ナトリウムの添加量が１２．５重量％〜２５重量％の範囲であれば、過酷条件下であっても一定期間（２週間以上）印象トレー洗浄剤中に浮遊物若しくは沈殿物が発生しないため、十分な安定性を有するといえる。
【００２４】
なお、クエン酸三ナトリウムの代わりにクエン酸三ナトリウム以外のクエン酸ナトリウム塩、つまり、クエン酸一ナトリウム、クエン酸二ナトリウムを使用することも可能である。ただし、クエン酸三ナトリウムは、食品添加物、局方品（日本薬局方収載医薬品）として認可されているものがあり、それらの安全性はクエン酸一ナトリウム、クエン酸二ナトリウムと比較して高い。また、クエン酸三ナトリウムは水に溶解した時、クエン酸一ナトリウム、クエン酸二ナトリウムより中性に近いため好ましい。中性に近いと、ｐＨの調整が不要となる場合があるためである。
【００２５】
アルコールとしては、メタノール、エタノール、プロパン−１−オール、ブタン−１−オール、プロパン−２−オール、ブタン−２−オール、２−メチルプロパン−２−オール、２−メチルブタン−２−オール、エチレングリコール、プロピレングリコール、１，３−ブタンジオール、ジエチレングリコール、ジプロピレングリコール、グリセリン、Ｄ−ソルビトール、キシリトール、マンニトール等である。なお、アルコールの中でも多価アルコールは臭気が少なく、安全性が高いため好ましい。また、多価アルコールの中でもプロピレングリコール、グリセリン、Ｄ−ソルビトールは、食品添加物、局方品（日本薬局方収載医薬品）として認可されているものがあり、それらの認可されたものを用いることが安全性の点で好ましく、その中でもプロピレングリコールは、比較的安価で、粘度が低いため取扱性が良好であり、防腐効果を有しているため特に好ましい。また、当該アルコールは、混合して使用しても構わない。
【００２６】
アルコールは、印象トレー洗浄剤の重量比で１重量％〜２０重量％が好ましく、特に５重量％〜１５重量％が好ましい。５重量％以下であれば、アルギン酸塩印象材を除去する効果が低くなり、１５重量％以上添加すると印象トレー洗浄剤の安定が低下し、印象トレー洗浄剤中に浮遊物若しくは沈殿物が発生するという問題が生じる。なお、浮遊物若しくは沈殿物が発生するという問題は、過酷条件下（−５℃、又は、４５℃）で２週間保管した場合に確認できたものである。換言すれば、アルコールの添加量が５重量％〜１５重量％の範囲であれば、過酷条件下であっても一定期間（２週間以上）印象トレー洗浄剤中に浮遊物若しくは沈殿物が発生しないため、十分な安定性を有するといえる。
【００２７】
本発明に使用する水は、水道水、蒸留水、イオン交換水、精製水など特に制限せずに使用することができる。
【００２８】
印象トレー洗浄剤に、クエン酸三カリウムを１０重量％以下の量を添加して使用しても構わない。この場合、アルギン酸塩印象材の除去力が向上する。なお、１０重量％以上添加すると印象トレー洗浄剤の安定が低下し、印象トレー洗浄剤中に浮遊物若しくは沈殿物が発生するという問題が生じる。
【００２９】
なお、クエン酸三カリウムの代わりにクエン酸三カリウム以外のクエン酸カリウム塩、つまり、クエン酸一カリウム、クエン酸二カリウムを使用することも可能である。ただし、クエン酸三カリウムは、食品添加物として認可されており、その安全性はクエン酸一カリウム、クエン酸二カリウムと比較して高い。また、クエン酸三カリウムは水に溶解した時、クエン酸一カリウム、クエン酸二カリウムより中性に近いため好ましい。中性に近いと、ｐＨの調整が不要となる場合があるためである。
【００３０】
本発明の印象トレー洗浄剤の製造方法は特に制限されず、配合される各成分を公知の方法で混合することによって調製することができる。
【００３１】
本発明の印象トレー洗浄剤は、液体であり、基本的に原液で使用することが前提の印象トレー洗浄剤である。原液のまま使用すると、水などで希釈する手間を省くことができるため有利である。使用方法としては、一般的な印象トレー洗浄剤と同じく、アルギン酸塩が付着している印象トレーを一定時間、浸漬することで、当該アルギン酸塩を容易に除去することが可能となる。
【実施例】
【００３２】
以下、実施例によって本発明を具体的に説明するが、本発明はこれらの実施例に限定されるものではない。
＜実施例１〜１０＞
クエン酸三ナトリウム        ５〜３０重量％
プロピレングリコール        １０重量％
ベンゾトリアゾール          ０．０１重量％
クエン酸                    適量（ｐＨが中性（ｐＨ７）となる量）
水                          残部
上記各成分を混合した後、マグネチックスターラーを用いて十分に撹拌し、計：１リットルの印象トレー用洗浄組成物を作製し、不溶性試験、剥離性試験、除去性試験、安定性試験により評価した。
【００３３】
＜実施例１１〜２０＞
クエン酸三ナトリウム        ５〜３０重量％
エタノール                  １０重量％
ベンゾトリアゾール          ０．０１重量％
クエン酸                    適量（ｐＨが中性（ｐＨ７）となる量）
水                          残部
上記各成分を混合した後、マグネチックスターラーを用いて十分に撹拌し、計：１リットルの印象トレー用洗浄組成物を作製し、不溶性試験、剥離性試験、除去性試験、安定性試験により評価した。
【００３４】
＜実施例２１〜２９＞
クエン酸三ナトリウム        ２０重量％
プロピレングリコール        １〜２０重量％
ベンゾトリアゾール          ０．０１重量％
クエン酸                    適量（ｐＨが中性（ｐＨ７）となる量）
水                          残部
上記各成分を混合した後、マグネチックスターラーを用いて十分に撹拌し、計：１リットルの印象トレー用洗浄組成物を作製し、不溶性試験、剥離性試験、除去性試験、安定性試験により評価した。
【００３５】
＜実施例３０〜３５＞
クエン酸三ナトリウム        ２０重量％、又は、２５重量％
クエン酸三カリウム          １重量％〜１５重量％
プロピレングリコール        ５重量％、又は、１０重量％
ベンゾトリアゾール          ０．０１重量％
クエン酸                    適量（ｐＨが中性（ｐＨ７）となる量）
水                          残部
上記各成分を混合した後、マグネチックスターラーを用いて十分に撹拌し、計：１リットルの印象トレー用洗浄組成物を作製し、不溶性試験、剥離性試験、除去性試験、安定性試験により評価した。
【００３６】
＜実施例３６〜４２＞
クエン酸三ナトリウム        ２０重量％、又は、２５重量％
アルコール類                １０重量％
ベンゾトリアゾール          ０．０１重量％
クエン酸                    適量（ｐＨが中性（ｐＨ７）となる量）
水                          残部
アルコール類：グリセリン、Ｄ−ソルビトール、キシリトール、１，３−ブタンジオール、ジプロピレングリコール、エチレングリコール、ジエチレングリコール
上記各成分を混合した後、マグネチックスターラーを用いて十分に撹拌し、計：１リットルの印象トレー用洗浄組成物を作製し、不溶性試験、剥離性試験、除去性試験、安定性試験により評価した。
【００３７】
＜比較例１〜３＞
クエン酸三ナトリウム        ２０重量％〜３０重量％
ベンゾトリアゾール          ０．０１重量％
クエン酸                    適量（ｐＨが中性（ｐＨ７）となる量）
水                          残部
【００３８】
＜比較例４＞
プロピレングリコール        １５重量％
ベンゾトリアゾール          ０．０１重量％
水                          残部
【００３９】
＜比較例５＞
エタノール                  ２０重量％
ベンゾトリアゾール          ０．０１重量％
水                          残部
比較例１〜５に記載の各成分を混合した後、マグネチックスターラーを用いて十分に撹拌し、計：１リットルの印象トレー用洗浄組成物を作製し、不溶性試験、剥離性試験、除去性試験、安定性試験により評価した。
【００４０】
＜比較例６〜８＞
クエン酸三ナトリウム        ２０重量％、又は、２５重量％
クエン酸三カリウム          ５重量％、又は、１０重量％
ベンゾトリアゾール          ０．０１重量％
クエン酸                    適量（ｐＨが中性（ｐＨ７）となる量）
水                          残部
上記各成分を混合した後、マグネチックスターラーを用いて十分に撹拌し、計：１リットルの印象トレー用洗浄組成物を作製し、不溶性試験、剥離性試験、除去性試験、安定性試験により評価した。
【００４１】
実施例及び比較例として作製した印象トレー洗浄剤の評価は、以下の方法にて評価した。
印象トレー（株式会社林歯科商店、局部用アミトレー＃１４）にアルギン酸塩印象材（株式会社ジーシー、アローマファインプラスノーマルセット）を規定量の水と練和して盛り付け、印象材硬化後、室温で３０分間放置させたものを印象トレー洗浄剤（実施例及び比較例として作製した各々の印象トレー洗浄剤）に３０分間浸漬させた。その後、不溶性試験、剥離性試験、除去性試験を行い評価した。なお、安定性試験については、印象トレー洗浄剤を４５℃、−５℃で２週間保存し、目視で変化を確認し、評価した。
・不溶性試験（印象トレー洗浄剤が印象材を溶解させないことを確認するための試験）：印象材に紙ウエスを軽く押し当て、印象材が紙ウエスに付着しなかったものを〇、少し付着した場合を△、多く付着した場合を×とした。
・剥離性試験：指を用いて印象トレーから印象材を容易に８０％以上剥離除去できた場合を〇、８０％以上剥離除去できるが多少力を入れて剥離する必要がある場合を△、力を入れて剥離する必要があり、大部分が残存している場合、又は、剥離することが困難な場合を×とした。
・除去性試験：歯ブラシを用いて剥離性試験後の印象トレーに残存した印象材を容易に除去出来た場合を〇、除去は出来るが多少時間がかかるものを△、除去するのに多くの時間がかかる場合、又は、除去することが困難な場合を×とした。
・安定性試験：印象トレー洗浄剤を４５℃、−５℃で２週間保存し、目視で変化が認められなかったものを〇、浮遊物が発生したものを△、沈殿が生じたものを×とした。以下、実施例及び比較例の印象トレー洗浄剤の実験結果を表１〜表７に示す。
【００４２】
＜表１＞
2020203960.tif 000002
【００４３】
＜表２＞
2020203960.tif 000003
【００４４】
＜表３＞
2020203960.tif 000004
【００４５】
＜表４＞
2020203960.tif 000005
【００４６】
＜表５＞
2020203960.tif 000006
【００４７】
＜表６＞
2020203960.tif 000007
【００４８】
＜表７＞
2020203960.tif 000008
【００４９】
上記表１〜表５より明らかなように、本願発明に係る印象トレー洗浄剤は、アルギン酸塩印象材の除去力に優れていることがわかる。また、様々なアルコールで実験を行った結果、どのアルコールを使用しても効果を有していることが判明した。
【００５０】
また、クエン酸三ナトリウムの添加量が１２．５重量％〜２５重量％の範囲であると、除去力及び安定性に優れた印象トレー洗浄剤になることが判明した。
【００５１】
また、アルコールの添加量が５重量％〜１５重量％の範囲であると、除去力及び安定性に優れた印象トレー洗浄剤になることが判明した。
【００５２】
また、実験結果の評価は、〇、△、×で評価しているため、差異がわかりにくいが、クエン酸三カリウムを少量（１０重量％以下）添加すると、明らかにアルギン酸塩印象材の除去力が向上することが判明した。
【００５３】
また、比較例から、クエン酸三ナトリウム又はアルコールのどちらか一方だけ使用した場合、十分な除去力を有していないことが判明した。以上より、本願発明に係る印象トレー洗浄剤の効果は明らかである。
【産業上の利用可能性】
【００５４】
本発明に係る印象トレー洗浄剤は、自然環境への有害な影響が少なく、且つ、アルギン酸塩印象材の除去力も高いので、印象トレー洗浄剤として有用である。